(57)【要約】【課題】ＤＳＴＢＣ符号化された信号に対して、逓倍タンク方式によりブロックタイミングを高速に検出可能な受信装置を得ること。【解決手段】Ｎ（Ｎは２以上の整数）シンボルで１ブロックとするＤＳＴＢＣ方式の信号を受信する受信装置であって、受信信号のサンプルの電力値を算出する２乗部９，１０、加算器１１と、算出された電力値を用いて、Ｎシンボル分のサンプルの電力値を乗算する１シンボル遅延部１２、乗算器１３と、求めた電力値乗算結果を用いて、Ｎシンボル周期の周波数成分を抽出するＤＦＴ処理部７０と、抽出されたＮシンボル周期の周波数成分からブロックタイミングの位置を推定する位相算出部２２と、を備える。【選択図】図２
2015041859.tif 000002
【特許請求の範囲】
【請求項１】
Ｎ（Ｎは２以上の整数）シンボルで１ブロックとするＤＳＴＢＣ方式の信号を受信する受信装置であって、
受信信号のサンプルの電力値を算出する電力値算出手段と、
前記電力値算出手段で算出された電力値を用いて、Ｎシンボル分のサンプルの電力値を乗算する電力値乗算手段と、
前記電力値乗算手段で求めた電力値乗算結果を用いて、Ｎシンボル周期の周波数成分を抽出する周波数成分抽出手段と、
前記周波数成分抽出手段で抽出されたＮシンボル周期の周波数成分からブロックタイミングの位置を推定するタイミング位置推定手段と、
を備えることを特徴とする受信装置。
【請求項２】
Ｎ（Ｎは２以上の整数）シンボルで１ブロックとするＤＳＴＢＣ方式の信号を受信する受信装置であって、
受信信号のサンプルの電力値を算出する電力値算出手段と、
前記電力値算出手段で算出された電力値を用いて、Ｎシンボル分のサンプルの電力値を乗算する電力値乗算手段と、
前記電力値乗算手段で求めた電力値乗算結果を用いて、Ｎシンボル周期の周波数成分を抽出する周波数成分抽出手段と、
前記周波数成分抽出手段で抽出されたＮシンボル周期の周波数成分からブロックタイミングおよびシンボルタイミングの位置を推定するタイミング位置推定手段と、
を備えることを特徴とする受信装置。
【請求項３】
Ｎ（Ｎは２以上の整数）シンボルで１ブロックとするＤＳＴＢＣ方式の信号を受信する受信装置であって、
受信信号のサンプルの電力値を算出する電力値算出手段と、
前記電力値算出手段で算出された電力値を用いて、Ｎシンボル分のサンプルの電力値を乗算する電力値乗算手段と、
前記電力値乗算手段で求めた電力値乗算結果を用いて、Ｎシンボル周期の周波数成分を抽出する周波数成分抽出手段と、
前記周波数成分抽出手段で抽出されたＮシンボル周期の周波数成分からシンボルタイミングの位置を推定するタイミング位置推定手段と、
を備えることを特徴とする受信装置。
【請求項４】
Ｎ（Ｎは２以上の整数）シンボルで１ブロックとするＤＳＴＢＣ方式の信号を受信する受信装置であって、
受信信号のサンプルの電力値を算出する電力値算出手段と、
前記電力値算出手段で算出された電力値を用いて、Ｎシンボル分のサンプルの電力値を乗算する電力値乗算手段と、
前記電力値算出手段で算出された電力値を用いて、１シンボル周期の周波数成分を抽出する第１の周波数成分抽出手段と、
前記電力値乗算手段で求めた電力値乗算結果を用いて、Ｎシンボル周期の周波数成分を抽出する第２の周波数成分抽出手段と、
前記第１の周波数成分抽出手段で抽出された１シンボル周期の周波数成分からシンボルタイミングの位置を推定する第１のタイミング位置推定手段と、
前記第２の周波数成分抽出手段で抽出されたＮシンボル周期の周波数成分、および前記第１のタイミング位置推定手段で推定されたシンボルタイミングを用いて、ブロックタイミングの位置を推定する第２のタイミング位置推定手段と、
を備えることを特徴とする受信装置。
【請求項５】
前記電力値算出手段は、前記受信信号のＩ相成分の２乗値およびＱ相成分の２乗値を求めて加算して電力値を算出し、
前記電力値乗算手段は、サンプル毎に１〜Ｎ−１シンボル分の遅延を行ったサンプルとの電力値の積から前記電力値乗算結果を算出し、
前記周波数成分抽出手段は、前記電力値乗算結果に対してＤＦＴを行ってＮシンボル周期の周波数成分を抽出し、
前記タイミング位置推定手段は、前記周波数成分抽出手段で抽出されたＮシンボル周期の周波数成分から位相を算出して前記ブロックタイミングを推定する、
ことを特徴とする請求項１または２に記載の受信装置。
【請求項６】
前記電力値算出手段は、前記受信信号のＩ相成分の２乗値およびＱ相成分の２乗値を求めて加算して電力値を算出し、
前記電力値乗算手段は、サンプル毎に１〜Ｎ−１シンボル分の遅延を行ったサンプルとの電力値の積から前記電力値乗算結果を算出し、
前記周波数成分抽出手段は、前記電力値乗算結果に対してＤＦＴを行ってＮシンボル周期の周波数成分を抽出し、
前記タイミング位置推定手段は、前記周波数成分抽出手段で抽出されたＮシンボル周期の周波数成分から位相を算出して前記シンボルタイミングを推定する、
ことを特徴とする請求項２または３に記載の受信装置。
【請求項７】
前記電力値算出手段は、前記受信信号のＩ相成分の２乗値およびＱ相成分の２乗値を求めて加算して電力値を算出し、
前記電力値乗算手段は、サンプル毎に１〜Ｎ−１シンボル分の遅延を行ったサンプルとの電力値の積から前記電力値乗算結果を算出し、
前記第１の周波数成分抽出手段は、前記電力値に対してＤＦＴを行って１シンボル周期の周波数成分を抽出し、
前記第２の周波数成分抽出手段は、前記電力値乗算結果に対してＤＦＴを行ってＮシンボル周期の周波数成分を抽出し、
前記第１のタイミング位置推定手段は、前記第１の周波数成分抽出手段で抽出された１シンボル周期の周波数成分から位相を算出して前記シンボルタイミングを推定し、
前記第２のタイミング位置推定手段は、前記第２の周波数成分抽出手段で抽出されたＮシンボル周期の周波数成分から位相を算出して前記ブロックタイミングを推定し、前記シンボルタイミングに基づいて前記ブロックタイミングを調整する、
ことを特徴とする請求項４に記載の受信装置。
【請求項８】
前記第２のタイミング位置推定手段は、前記シンボルタイミングを前記ブロックタイミングとする、
ことを特徴とする請求項７に記載の受信装置。
【請求項９】
Ｐ本（Ｐは２以上の整数）の受信アンテナを備える場合に、
前記電力値算出手段、前記電力値乗算手段および前記周波数成分抽出手段をそれぞれＰ個備えて、各受信アンテナ別にＮシンボル周期の周波数成分を抽出し、
前記タイミング位置推定手段は、各受信アンテナ別のＮシンボル周期の周波数成分を加算した値または選択した受信アンテナのＮシンボル周期の周波数成分から前記ブロックタイミングを推定する、
ことを特徴とする請求項１，２または５に記載の受信装置。
【請求項１０】
Ｐ本（Ｐは２以上の整数）の受信アンテナを備える場合に、
前記電力値算出手段、前記電力値乗算手段および前記周波数成分抽出手段をそれぞれＰ個備えて、各受信アンテナ別にＮシンボル周期の周波数成分を抽出し、
前記タイミング位置推定手段は、各受信アンテナ別のＮシンボル周期の周波数成分を加算した値または選択した受信アンテナのＮシンボル周期の周波数成分から前記シンボルタイミングを推定する、
ことを特徴とする請求項２，３または６に記載の受信装置。
【請求項１１】
Ｐ本（Ｐは２以上の整数）の受信アンテナを備える場合に、
前記電力値算出手段、前記電力値乗算手段、前記第１の周波数成分抽出手段および前記第２の周波数成分抽出手段をそれぞれＰ個備えて、各受信アンテナ別にＮシンボル周期の周波数成分および１シンボル周期の周波数成分を抽出し、
前記第１のタイミング位置推定手段は、各受信アンテナ別の１シンボル周期の周波数成分を加算した値または選択した受信アンテナの１シンボル周期の周波数成分から前記シンボルタイミングを推定し、
前記第２のタイミング位置推定手段は、各受信アンテナ別のＮシンボル周期の周波数成分を加算した値または選択した受信アンテナのＮシンボル周期の周波数成分から前記ブロックタイミングを推定し、前記シンボルタイミングに基づいて前記ブロックタイミングを調整する、
ことを特徴とする請求項４または７に記載の受信装置。
【請求項１２】
前記第２のタイミング位置推定手段は、前記シンボルタイミングを前記ブロックタイミングとする、
ことを特徴とする請求項１１に記載の受信装置。
【発明の詳細な説明】
【技術分野】
【０００１】
本発明は、受信装置に関する。
【背景技術】
【０００２】
従来、無線通信では、通信品質を向上させるためのダイバーシチ技術が数多く存在する。ＳＴＢＣ（Space  Time  Block  Coding）、ＤＳＴＢＣ（Differential  Space  Time  Block  Coding）は、送信ダイバーシチ技術の一つであり、送信機で複数の送信アンテナを用いて時空間符号化（ＳＴＢＣ符号化）、差動時空間符号化（ＤＳＴＢＣ符号化）を行った信号を送信することで、ダイバーシチ効果を得られる技術である。例えば、送信アンテナを２本用いる場合のＳＴＢＣ、ＤＳＴＢＣは、２シンボルを１ブロックとして、ブロック単位でＳＴＢＣ符号化、ＤＳＴＢＣ符号化を行う。ＳＴＢＣ符号化は１ブロックのみ用いるが、ＤＳＴＢＣ符号化の場合は直前のブロックとその次に送信するブロックを用いる。受信機では、送信機で生成したブロック毎にＳＴＢＣ復号、ＤＳＴＢＣ復号を行う。ＳＴＢＣ復号は伝送路推定値を得て、ブロック内の処理によって、ＤＳＴＢＣ復号はブロックとその直前のブロック間の処理によって、符号化前のシンボルを取り出す。感度特性については、ＳＴＢＣがＤＳＴＢＣに比べて良好な特性となるが、ＤＳＴＢＣは復号化処理で受信信号から伝送路を推定することなく復号できることから、ＳＴＢＣの受信機で行う伝送路推定の処理量が減る。そのため、ＤＳＴＢＣの受信機は構成が容易になるというメリットがある。このような技術が、下記非特許文献１において開示されている。
【０００３】
受信機では、受信信号の復調を行う際に変調信号が生成されたタイミング（以下、シンボルタイミングとする）を抽出する必要がある。送受信機でナイキストフィルタによるフィルタリングが行われると、シンボルタイミングでは隣の変調信号の干渉を受けないが、それ以外のタイミングではシンボル間干渉の影響を受ける。送信機と受信機のそれぞれのクロックを同期している場合はシンボルタイミングの抽出処理は必要無いが、無線通信では送信機と受信機のそれぞれのクロックが同期できない。そのため、受信機で送信機のクロックと位相を同期させて、シンボルタイミングを再生する方式（以下、ＢＴＲ（Bit  Timing  Recovery）方式とする）が必要となる。ＢＴＲ方式として、例えば、下記非特許文献２に記載される逓倍タンク方式がある。逓倍タンク方式は、受信信号を直交検波した後のＩ相成分、Ｑ相成分をそれぞれ２乗して加算することで電力値を算出し、その電力値をクロック波形としてＤＦＴ（Discrete  Fourier  Transformation）（離散フーリエ変換）によって波形の位相成分を算出することで、タイミング抽出を行う。逓倍タンク方式は、プリアンブル、ＳＷ（Sync  Word）（同期ワード）等の既知信号が不要で、受信信号全体に対して処理が行えるため、タイミング再生を高速で行うことが可能である。また、ＤＳＴＢＣのように既知信号の信号点が差動符号化によって符号化前の信号点から変動する場合においても、逓倍タンク方式によるタイミング再生は有効である。
【０００４】
また、ＳＴＢＣ、ＤＳＴＢＣを用いる場合、受信機で復調処理を行うにはブロックの開始位置（以下、ブロックタイミングとする）を把握しておく必要がある。受信機では、ブロックの開始位置は不明であり、不明の状態ではＳＴＢＣ復号、ＤＳＴＢＣ復号を行えないため、ブロックの開始位置を特定する処理が必要となる。特定の信号の区切りを検出する方法として、一般的に、プリアンブル、ＳＷなどの既知系列の検出を用いる方法が有効である。受信機では、ＳＷなどの既知系列が挿入されたフレームを受信することで、ブロックの開始位置を検出することが可能となる。
【先行技術文献】
【非特許文献】
【０００５】
【非特許文献１】Ｖ．Ｔａｒｏｋｈ，Ｈ．Ｊａｆａｒｋｈａｎｉ，“Ａ  Ｄｉｆｆｅｒｅｎｔｉａｌ  Ｄｅｔｅｃｔｉｏｎ  Ｓｃｈｅｍｅ  ｆｏｒ  Ｔｒａｎｓｍｉｔ  Ｄｉｖｅｒｓｉｔｙ”  ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ，Ｖｏｌ．１８，ｐｐ１１６９−１１７４，Ｊｕｌｙ  ２０００．
【非特許文献２】松本洋一，守倉正博，加藤修三，“バーストモード全ディジタル化高速クロック再生回路――蓄積型クロック再生方式――，”電子情報通信学会論文誌（Ｂ−ＩＩ），ｖｏｌ．Ｊ７５−Ｂ−ＩＩ，ｎｏ．６，ｐｐ．３５４−３６２，１９９２年６月．
【発明の概要】
【発明が解決しようとする課題】
【０００６】
しかしながら、上記従来の技術によれば、逓倍タンク方式を用いてシンボルタイミングを検出した後にＳＴＢＣ、ＤＳＴＢＣ復号を行うにはブロックタイミングを検出する必要がある。ＳＷ等の既知系列を用いてブロックタイミングを検出することが可能だが、ブロックタイミングの検出にはフレームのＳＷの部分だけで行う必要がある。そのため、例えば、高いビットレートで通信するための目的でＳＷが短く設定される場合には、ブロックタイミングの検出精度が十分に得られない、また、複数フレームにまたがってブロックタイミングの検出を行うことでブロックタイミングの検出にかかる期間が長くなるおそれがある、という問題があった。
【０００７】
本発明は、上記に鑑みてなされたものであって、ＤＳＴＢＣ符号化された信号に対して、逓倍タンク方式によりブロックタイミングを高速に検出可能な受信装置を得ることを目的とする。
【課題を解決するための手段】
【０００８】
上述した課題を解決し、目的を達成するために、本発明は、Ｎ（Ｎは２以上の整数）シンボルで１ブロックとするＤＳＴＢＣ方式の信号を受信する受信装置であって、受信信号のサンプルの電力値を算出する電力値算出手段と、前記電力値算出手段で算出された電力値を用いて、Ｎシンボル分のサンプルの電力値を乗算する電力値乗算手段と、前記電力値乗算手段で求めた電力値乗算結果を用いて、Ｎシンボル周期の周波数成分を抽出する周波数成分抽出手段と、前記周波数成分抽出手段で抽出されたＮシンボル周期の周波数成分からブロックタイミングの位置を推定するタイミング位置推定手段と、を備えることを特徴とする。
【発明の効果】
【０００９】
本発明によれば、ＤＳＴＢＣ符号化された信号に対して、逓倍タンク方式によりブロックタイミングを高速に検出できる、という効果を奏する。
【図面の簡単な説明】
【００１０】
【図１】図１は、実施の形態１の受信装置の構成例を示す図である。
【図２】図２は、実施の形態１のタイミング検出部の構成例を示す図である。
【図３】図３は、１シンボルあたりのサンプル数Ｋ＝４の場合の、２シンボルの電力を乗算する前後で取得した受信信号の電力スペクトルを示す図である。
【図４】図４は、実施の形態２のタイミング検出部の構成例を示す図である。
【図５】図５は、実施の形態３の受信装置の構成例を示す図である。
【図６】図６は、実施の形態３のタイミング検出部の構成例を示す図である。
【図７】図７は、実施の形態４のタイミング検出部の構成例を示す図である。
【発明を実施するための形態】
【００１１】
以下に、本発明にかかる受信装置の実施の形態を図面に基づいて詳細に説明する。なお、この実施の形態によりこの発明が限定されるものではない。
【００１２】
実施の形態１．
図１は、本実施の形態の受信装置の構成例を示す図である。受信装置は、ＤＳＴＢＣの送信信号を受信する受信アンテナ１と、受信アンテナ１で受信された受信信号をオーバーサンプリングして、アナログ値からディジタル値に変換するＡ／Ｄ変換部２と、Ａ／Ｄ変換部２でディジタル値に変換された高周波帯域の信号をベースバンドの信号に直交変換する直交検波部３と、直交検波部３でベースバンド信号に直交変換された信号から所望帯域以外の信号を遮断する整形フィルタ４と、整形フィルタ４による整形後のベースバンド信号であるオーバーサンプリングされた受信信号からシンボルタイミングおよびブロックタイミングを推定するタイミング検出部５と、タイミング検出部５で推定されたシンボルタイミングを用いて、整形フィルタ４による整形後のベースバンド信号であるオーバーサンプリングされた受信信号から送信信号が変調されたタイミング（シンボルタイミング）の受信信号を取り出すタイミング抽出部６と、タイミング検出部５で推定されたブロックタイミングを用いて、タイミング抽出部６で取り出された受信信号に対してＤＳＴＢＣの差動符号化を復号し、変調信号を得るＤＳＴＢＣ復号部７と、ＤＳＴＢＣ復号部７で得られた変調信号から復調系列を判定する判定部８と、を備える。
【００１３】
次に、受信装置において、ＤＳＴＢＣ符号化された信号の受信から復調系列の取得までの処理の流れを説明する。なお、ＤＳＴＢＣはＮシンボルを１ブロックとして、Ｎに任意の数を用いることが可能だが、以下の説明ではＮ＝２とする。
【００１４】
まず、受信アンテナ１によって得たＤＳＴＢＣの受信信号を、Ａ／Ｄ変換部２で、ディジタル値に変換し、オーバーサンプリング（ここでは、一例として、Ｋ倍でオーバーサンプリングする）された受信信号を取得する。直交検波部３は、受信信号をベースバンドの複素信号に変換し、整形フィルタ４で所望帯域以外の信号を遮断する。
【００１５】
タイミング検出部５は、整形フィルタ４から出力されたＫ倍でオーバーサンプリングされた受信信号を用いて、ブロックタイミングおよびシンボルタイミングを推定する。タイミング検出部５の詳細な構成・動作については後述する。タイミング検出部５に用いる逓倍タンク方式によって、ブロックタイミングの推定結果は２Ｌ倍の分解能で出力される。ブロックタイミングは２シンボル毎のシンボルタイミングであり、ブロックの長さはシンボルの長さの２倍であることから、シンボルタイミングとしてはＬ倍の分解能で出力される。
【００１６】
タイミング抽出部６は、シンボルタイミングの推定結果に従って、Ｋ倍でオーバーサンプリングされた受信信号からシンボルタイミングの受信信号を取り出す。ここで、シンボルタイミングの推定を高精度に行う場合はＬ＞Ｋとなるため、タイミング抽出部６では、フィルタによってサンプル点の補間を行った後にシンボルタイミングの受信信号を取り出す。サンプル点の補間を行うフィルタは、例えば、コサインロールオフフィルタを用いればよい。また、タイミング検出部５から出力されるシンボルタイミングは２シンボル毎に出力されるため、タイミング抽出部６では、間のシンボルは、例えば、前のブロックタイミングから１シンボル遅延させた位置とすればよい。
【００１７】
ＤＳＴＢＣ復号部７は、シンボルタイミングで抽出されたナイキストレートの受信信号に対して、タイミング検出部５から出力されたブロックタイミングに従いＤＳＴＢＣ復号を行う。ＤＳＴＢＣ復号に用いるブロックタイミングは、タイミング抽出部６でシンボルタイミングが更新された位置を憶えておき、そのタイミングを用いてもよい。
【００１８】
判定部８は、ＤＳＴＢＣ復号部７から出力される変調信号に対して硬判定あるいは軟判定を行い復調系列とする。
【００１９】
続いて、ブロックタイミングの検出を行うタイミング検出部５の構成および動作について、以下に詳細を説明する。
【００２０】
図２は、本実施の形態のタイミング検出部の構成例を示す図である。タイミング検出部５は、受信信号のＩ相成分（同相成分）の２乗を算出する２乗部９と、受信信号のＱ相成分（直交成分）の２乗を算出する２乗部１０と、２乗部９で２乗されたＩ相成分の値および２乗部１０で２乗されたＱ相成分の値の和をとり、受信信号の電力値を算出する加算器１１と、加算器１１で算出された受信信号の電力値に対して１シンボル長分の遅延（Ｋサンプルの遅延）処理を行う１シンボル遅延部１２と、加算器１１からの受信信号の電力値と１シンボル遅延部１２からの遅延後の受信信号の電力値とを用いて、サンプル毎に１シンボル分遅延したサンプルの電力値を乗算する乗算器１３と、２シンボル周期の正弦波を生成する正弦波生成部１４と、正弦波生成部１４で生成された正弦波を余弦波に変換する９０°回転部１５と、乗算器１３から出力された信号に対して９０°回転部１５から出力された正弦波を乗算する乗算器１６と、乗算器１３から出力された信号に対して正弦波生成部１４から出力された余弦波を乗算する乗算器１７と、乗算器１６からの信号に対して２シンボル毎に２シンボル長分の受信信号の電力値の総和を算出する加算部１８と、乗算器１７からの信号に対して２シンボル毎に２シンボル長分の受信信号の電力値の総和を算出する加算部１９と、加算部１８で２シンボル毎に算出された電力値の総和を平均化する平均化処理部２０と、加算部１９で２シンボル毎に算出された電力値の総和を平均化する平均化処理部２１と、平均化処理部２０から出力されるＩ相成分と平均化処理部２１から出力されるＱ相成分とから位相を算出する位相算出部２２と、を備える。
【００２１】
なお、タイミング検出部５では、正弦波生成部１４、９０°回転部１５、乗算器１６，１７、および加算部１８，１９により、ＤＦＴ処理部７０を形成している。また、２乗部９，１０、加算器１１で電力値算出手段を構成し、１シンボル遅延部１２、乗算器１３で電力値乗算手段を構成し、ＤＦＴ処理部７０で周波数成分抽出手段を構成し、平均化処理部２０，２１、位相算出部２２でタイミング位置推定手段を構成する。
【００２２】
タイミング検出部５では、まず、フィルタリングされた受信信号（整形フィルタ４から出力された信号）からクロック波形を生成する。具体的には、２乗部９，１０および加算器１１の処理によりＩ相成分およびＱ相成分それぞれの２乗値の和を算出して、受信信号の電力値を得る。ここで、電力値を得るために前記手法を用いることは必須でなく、例えば、直交検波を行う前に受信信号の振幅値を２乗することによって電力値を得てもよい。
【００２３】
受信信号の電力値が得られると、乗算器１３では、１シンボル遅延部１２で１シンボル遅延された信号と加算器１１からの現在の信号とを乗算し、電力値の乗算結果であって、ブロックタイミングを得るためのクロック波形を生成する。
【００２４】
ここで、受信信号の電力値をクロック波形としてシンボルタイミングおよびブロックタイミングが得られる理由について説明する。ＱＰＳＫ（Quadrature  Phase  Shift  Keying）のようなシンボルタイミングにおいて振幅が一定となる変調方式を用いた場合、一般的に受信信号はシンボルタイミング付近の振幅が大きく、シンボルタイミング間で振幅が小さい。このため、受信信号をＩ相成分とＱ相成分でそれぞれ２乗して加算して電力値にした後、１シンボル長毎に抽出して平均化していくことで、シンボルタイミングとシンボルタイミングの間でそれぞれ異なる一定の電力値に収束する。そして、平均化後の波形から１シンボル周期の周波数成分の位相情報を抽出することで、シンボルタイミングを検出できる。ＤＳＴＢＣ符号化したＱＰＳＫのようにシンボルタイミングにおいて振幅が一定とならない場合においても、上記と同様の手順でシンボルタイミングを検出可能である。
【００２５】
ブロックタイミングの検出についても、シンボルタイミングと同じようにして、今度はあるシンボルタイミングでは振幅が小さく、その次のシンボルタイミングで振幅が大きく、さらに次のシンボルタイミングでは振幅が小さくなるというように、シンボルタイミング毎に振幅が小さい点と振幅が大きい点となるクロック波形を生成する。ここで、ＤＳＴＢＣの１ブロックを構成する２シンボルの電力値の和が一定となる性質がある。
【００２６】
例えば、ＤＳＴＢＣ符号化後の信号のシンボルタイミングにおける電力値が１、２、３となる場合、１ブロック内にある２つのシンボルタイミングに対する電力値の組み合わせは｛１，３｝、｛２，２｝、｛３，１｝の３つ存在する。受信信号であるサンプル点とその１シンボル先のサンプル点に対して電力値の積を算出した場合、ブロックタイミングにおいてとり得る電力値は３、４であり、ブロックタイミングでないシンボルタイミングにおいてとり得る電力値は１、２、３、４、６、９である。ＤＳＴＢＣ符号化後の１ブロック内の２つのシンボルタイミングに対する電力値の組み合わせがランダムに発生するとすれば、２シンボルの電力値の積を算出する処理後のブロックタイミングにおける電力値の平均値は３．３程度となり、ブロックタイミングでないシンボルタイミングにおける電力値の平均値は４．０程度となり、それぞれ異なる値に収束する。この電力値の積を算出する処理の後に２シンボル周期の周波数成分の位相情報を抽出することで、ブロックタイミングの検出が可能である。
【００２７】
図３は、１シンボルあたりのサンプル数Ｋ＝４の場合の、２シンボルの電力を乗算する前後で取得した受信信号の電力スペクトルを示す図である。正規化周波数０．２５が１シンボル周期の周波数成分、正規化周波数０．１２５が２シンボル周期の周波数成分である。２シンボルの電力を乗算した後は２シンボル周期の周波数成分で正規化電力のピークが観測されており、ブロックタイミングを抽出可能であることが確認できる。ＳＴＢＣにおいてもブロック内の２つのシンボルタイミングに対する電力値の和が一定となる、およびシンボルタイミング毎に異なる電力値をとり得るという制約を与えることで、ＤＳＴＢＣと同様の手順によってブロックタイミングを検出できる。また、３以上のＮについてＮシンボルで１ブロックとするＤＳＴＢＣでは、受信信号に対してＮシンボル分の電力値の乗算を行い、Ｎシンボル周期の周波数成分の位相情報を抽出することで、ブロックタイミングを検出可能である。
【００２８】
タイミング検出部５は、上記のようにして２シンボル分のサンプルの電力値を加算してクロック波形を生成した後は、ＤＦＴ処理部７０でのＤＦＴ処理によってクロック波形の位相成分の抽出を行う。具体的には、まず、正弦波生成部１４が、クロック波形の周波数と同じである、ブロックレート（２シンボル周期）の正弦波を生成する。正弦波は２シンボル周期で同じ値となるため、予めメモリに値を保存しておき、値を読み出す形式にしてもよい。ＤＦＴ処理には余弦波と正弦波を用いる必要があるため、９０°回転部１５が、正弦波生成部１４で生成された正弦波の位相を９０°回転させて、正弦波から余弦波に変換する。乗算器１６は、乗算器１３から出力されるクロック波形と９０°回転部１５からの余弦波を乗算してＩ相成分の電力値を得る。乗算器１７は、乗算器１３から出力されるクロック波形と正弦波生成部１４からの正弦波を乗算してＱ相成分の電力値を得る。加算部１８は、乗算器１６からＩ相成分の電力値を入力し、２シンボル長分にあたる２Ｋサンプルの電力値をＩ相成分について加算して出力する。加算部１９は、乗算器１７からＱ相成分の電力値を入力し、２シンボル長分にあたる２Ｋサンプルの電力値をＱ相成分について加算して出力する。加算部１８，１９では、サンプル毎に出力値を算出して、その後に２Ｋサンプル毎に値を抽出してもよいし、出力値の算出を２Ｋサンプル毎に行うようにしてもよい。
【００２９】
平均化処理部２０は、加算部１８から出力された、クロック波形にＤＦＴ処理を行った後のブロックレートの電力値について、フェージング、雑音などによるバラつきを抑制してタイミングの検出精度を向上させるために、Ｉ相成分について平均化する。平均化処理部２１は、加算部１９から出力された、クロック波形にＤＦＴ処理を行った後のブロックレートの電力値について、フェージング、雑音などによるバラつきを抑制してタイミングの検出精度を向上させるために、Ｑ相成分について平均化する。平均化処理部２０，２１において、平均化には、例えば、ＦＩＲフィルタ、ＩＩＲフィルタなどを用いればよい。また、平均化処理部２０，２１は、それぞれ、加算部１８，１９に機能を統合してもよく、加算部１８，１９では、例えば、Ｍ×２Ｋサンプルの電力値の和を算出して出力すればＭブロック分の平均化を行うことができる。
【００３０】
位相算出部２２は、平均化処理部２０から出力された平均化されたＩ相成分の電力値と、平均化処理部２１から出力された平均化されたＱ相成分の電力値とを用いて、位相（ブロックタイミング）を算出する。位相算出部２２では、位相算出をシンボルレートのＬ倍の分解能で行う場合、３６０°をＬ個の区間に分割して、算出した位相を内包する区間の情報を出力する。なお、位相算出部２２から出力されるブロックタイミングは２シンボル毎のシンボルタイミングであり、ブロックタイミング間にあるブロックタイミングではないシンボルタイミングについても、例えば、前後のブロックタイミングから補間すれば、タイミング検出部５によってシンボルタイミングとブロックタイミングを同時に検出することが可能である。また、シンボルタイミングの検出には、本実施の形態の回路と異なる回路を用いてもよい。
【００３１】
なお、本実施の形態では、一例として、Ｎ＝２の場合について説明したが、Ｎ＝３以上の場合、１シンボル遅延部１２の部分をＮ＝３以上に対応した個数のシンボル遅延部を備えることとする。例えば、Ｎ＝３の場合、１シンボル遅延部１２の他、２シンボル遅延部を備え、Ｎ＝３に対応した乗算器で、加算器１１、１シンボル遅延部１２、２シンボル遅延部からの信号を乗算して３シンボル分のサンプルの電力値を算出する。
【００３２】
以上説明したように、本実施の形態では、受信装置において、タイミング検出部５は、ＤＳＴＢＣの符号化単位（１ブロック）を形成しているＮシンボル各々の電力値を算出するとともに、算出した電力値を乗算し、乗算結果を使用してブロックタイミングを推定する。例えば、２シンボルで１符号化単位（１ブロック）を形成している場合、図２に示すように、従来の逓倍タンク方式のタイミング再生回路に対して、１シンボル遅延部１２および乗算器１３を追加し、ＤＦＴ処理部７０、平均化処理部２０，２１、位相算出部２２を、従来の１シンボル周期から２シンボル周期に変えればよい。これにより、従来と殆ど回路規模を変えずにブロックタイミングとシンボルタイミングを同時に検出することができる。また、ＤＳＴＢＣ符号化された信号に対して、逓倍タンク方式によりブロックタイミングを高速に検出することができる。
【００３３】
実施の形態２．
本実施の形態では、実施の形態１とは異なる構成の受信装置について説明する。なお、受信装置の全体構成は実施の形態１と同様である（図１参照）。本実施の形態では、タイミング検出部５に替えてタイミング検出部５ａを用いる。タイミング検出部５ａ以外の構成・動作は実施の形態１と共通であるため、共通部分については説明を省略し、以下ではタイミング検出部５ａについて説明する。
【００３４】
図４は、本実施の形態のタイミング検出部の構成例を示す図である。タイミング検出部５ａは、実施の形態１のタイミング検出部５（図２参照）に対して、正弦波生成部２３と、９０°回転部２４と、乗算器２５，２６と、加算部２７，２８と、平均化処理部２９，３０と、位相算出部３１と、ブロックタイミング判定部３２と、を追加した構成となっている。正弦波生成部２３、９０°回転部２４、乗算器２５，２６、加算部２７，２８、平均化処理部２９，３０および位相算出部３１では、扱う信号が１シンボル周期となる点が、２シンボル周期の信号を対象としている実施の形態１の対応する各構成と異なる。
【００３５】
なお、タイミング検出部５ａでは、正弦波生成部２３、９０°回転部２４、乗算器２５，２６、および加算部２７，２８により、ＤＦＴ処理部７１を形成している。また、タイミング検出部５ａでは、ブロックタイミングの検出を行う処理とシンボルタイミングの検出を行う処理で回路を分けており、１シンボル遅延部１２、乗算器１３、ＤＦＴ処理部７０、平均化処理部２０，２１、位相算出部２２、ブロックタイミング判定部３２でブロックタイミング検出部８０を形成し、ＤＦＴ処理部７１、平均化処理部２９，３０、位相算出部３１でシンボルタイミング検出部８１を形成している。
【００３６】
また、２乗部９，１０、加算器１１で電力値算出手段を構成し、１シンボル遅延部１２、乗算器１３で電力値乗算手段を構成し、ＤＦＴ処理部７０で第２の周波数成分抽出手段を構成し、平均化処理部２０，２１、位相算出部２２、ブロックタイミング判定部３２で第２のタイミング位置推定手段を構成し、ＤＦＴ処理部７１で第１の周波数成分抽出手段を構成し、平均化処理部２９，３０、位相算出部３１で第１のタイミング位置推定手段を構成する。
【００３７】
続いて、タイミング検出部５ａの動作について、以下に詳細に説明する。なお、タイミング検出部５と共通の部分については説明を省略する。
【００３８】
まず、ブロックタイミングの位相情報を出力する場合では、ブロックタイミング検出部８０のブロックタイミング判定部３２を除く各構成の動作、すなわち、２乗部９，１０および加算器１１によって得られた受信信号の電力値から、位相算出部２２でブロックタイミングの位相情報が出力されるまで使用される各構成およびその動作は、実施の形態１と同様である。
【００３９】
次に、シンボルタイミングの位相情報を出力する動作について説明する。シンボルタイミング検出部８１では、加算器１１から出力された受信信号の電力値からシンボルタイミングを検出する。
【００４０】
シンボルタイミング検出部８１では、ＤＦＴ処理部７１でのＤＦＴ処理として、まず、正弦波生成部２３が、１シンボル周期の正弦波を生成し、９０°回転部２４は、正弦波生成部２３で生成された１シンボル周期の正波形の位相を９０°回転して１シンボル周期の余弦波を生成する。乗算器２５は、９０°回転部２４の出力となる余弦波を加算器１１から出力される受信信号の電力値と乗算してＩ相成分の電力値を得る。乗算器２６は、正弦波生成部２３の出力となる正弦波を加算器１１から出力される受信信号の電力値と乗算してＱ相成分の電力値を得る。加算部２７は、乗算器２５からＩ相成分の電力値を入力し、１シンボル毎に１シンボル長分の受信信号の電力値の総和を算出しＤＦＴの出力とする。加算部２８は、乗算器２６からＱ相成分の電力値を入力し、１シンボル毎に１シンボル長分の受信信号の電力値の総和を算出しＤＦＴの出力とする。
【００４１】
平均化処理部２９は、加算部２７からのＤＦＴ出力を平均化する。また、平均化処理部３０は、加算部２８からのＤＦＴ出力を平均化する。
【００４２】
位相算出部３１は、平均化処理部２９から出力された平均化されたＤＦＴ出力のＩ相成分と、平均化処理部３０から出力された平均化されたＤＦＴ出力のＱ相成分とを用いて、位相情報を抽出してシンボルタイミングを検出する。位相算出部３１では、このシンボルタイミングは３６０°の位相をＬ個の区間に分けて、位相情報を内包する区間の情報を出力する。
【００４３】
ブロックタイミング判定部３２は、位相算出部２２から出力されたブロックタイミングの位相情報と、位相算出部３１から出力されたシンボルタイミングの位相情報とを用いて、位相を調整したブロックタイミングを出力する。ブロックタイミング判定部３２では、ブロックタイミングの位相情報の調整は、シンボルタイミングの位置にブロックタイミングを合わせることで行う。
【００４４】
例えば、タイミング検出が１シンボルに対してＬ倍の分解能で検出を行うときで、Ｌが１０である場合に、ブロックタイミングは０〜１９、シンボルタイミングは０〜９の値のいずれかとなる。ある地点でブロックタイミングが５、シンボルタイミングが３となった場合、ブロックタイミング判定部３２では、ブロックタイミングを３として出力して位相を調整する。ブロックタイミングが１回検出される間にシンボルタイミングは２回検出されるため、ブロックタイミングはそのどちらかのシンボルタイミングを参照して位相を調整してもよいし、２つのシンボルタイミングを平均した結果を参照して位相を調整してもよく、ブロックタイミングがシンボルタイミングの位相に合わせるようにする。ブロックタイミングが１０以上のときはシンボルタイミングの位相に１０を加えればよい。
【００４５】
ブロックタイミング検出部８０では、乗算器１３で受信信号の２つの電力値に対して乗算を行っており、一般的に受信信号の乗算回数が増えると雑音が増え、タイミング検出の精度が落ちる。このため、シンボルタイミングの検出については、シンボルタイミング検出部８１で従来のタイミング検出でシンボルタイミングを検出しておき、ブロックタイミングについては、ブロックタイミング検出部８０の位相算出部２２までの処理で検出した後にブロックタイミング判定部３２でシンボルタイミングの位相に調整することで、シンボルタイミングの検出精度を高く保った状態でブロックタイミング検出を同時に行うことができる。
【００４６】
以上説明したように、本実施の形態では、受信装置において、タイミング検出部５ａは、ブロックタイミングとシンボルタイミングをそれぞれ異なる処理（ブロックタイミング検出部８０、シンボルタイミング検出部８１）を並列で行って検出し、最後にブロックタイミングの位相をシンボルタイミングの位相に合わせる。これにより、実施の形態１の回路および、従来の逓倍タンク方式の回路を２つ並列して持つことにより、ブロックタイミングとシンボルタイミングを同時に検出して、なおかつ、シンボルタイミングの検出精度を従来と同等にすることができる。
【００４７】
実施の形態３．
本実施の形態では、複数の受信アンテナを用いてアンテナダイバーシチを実施する場合の受信装置について説明する。なお、アンテナダイバーシチにはＰ本（Ｐは２以上の整数）のアンテナを用いることが可能だが、以下の説明ではＰ＝２とする。
【００４８】
図５は、本実施の形態の受信装置の構成例を示す図である。受信装置は、ＤＳＴＢＣの送信信号を受信する受信アンテナ１，３３と、受信アンテナ１，３３で受信された受信信号をそれぞれオーバーサンプリングして、アナログ値からディジタル値に変換するＡ／Ｄ変換部２，３４と、Ａ／Ｄ変換部２，３４でディジタル値に変換された高周波帯域の信号をそれぞれベースバンドの信号に直交変換する直交検波部３，３５と、直交検波部３、３５でベースバンド信号に直交変換された信号からそれぞれ所望帯域以外の信号を遮断する整形フィルタ４，３６と、整形フィルタ４，３６による整形後のベースバンド信号であるオーバーサンプリングされた受信信号からシンボルタイミングおよびブロックタイミングを推定するタイミング検出部３７と、タイミング検出部３７で推定されたシンボルタイミングを用いて、整形フィルタ４，３６による整形後のベースバンド信号であるオーバーサンプリングされた受信信号からそれぞれ送信信号が変調されたタイミング（シンボルタイミング）の受信信号を取り出すタイミング抽出部６，３８と、タイミング検出部３７で推定されたブロックタイミングを用いて、タイミング抽出部６，３８で取り出された受信信号に対してそれぞれＤＳＴＢＣの差動符号化を復号し、変調信号を得るＤＳＴＢＣ復号部７，３９と、ＤＳＴＢＣ復号部７，３９で得られた変調信号から復調系列を判定する判定部４０と、を備える。
【００４９】
次に、受信装置において、ＤＳＴＢＣ符号化された信号の受信から復調系列の取得までの処理の流れを説明する。整形フィルタ４，３６までは、２本の受信アンテナで受信するそれぞれの受信信号について、実施の形態１，２で用いる受信装置（図１参照）と同様に処理を行い、２アンテナ分のＫ倍でオーバーサンプリングされた受信信号を得る。
【００５０】
タイミング検出部３７は、２つの受信信号を用いてブロックタイミングおよびシンボルタイミングを推定する。タイミング検出部３７の詳細な構成・動作については後述する。タイミング検出部３７からは、実施の形態１と同様に、ブロックタイミングの推定結果が２Ｌ倍の分解能、シンボルタイミングの指定結果がＬ倍の分解能でそれぞれ出力される。
【００５１】
タイミング抽出部６，３８は、それぞれタイミング検出部３７で推定されたシンボルタイミングに従いＫ倍でオーバーサンプリングされた受信信号からシンボルタイミングの受信信号を抽出する。
【００５２】
ＤＳＴＢＣ復号部７，３９は、それぞれシンボルタイミングで抽出された受信信号に対して、タイミング検出部３７から出力されたブロックタイミングに従いＤＳＴＢＣ復号を行う。
【００５３】
判定部４０は、２つの受信信号についてダイバーシチ合成を選択合成、等利得合成、最大比合成などを用いて判定を行い、復調系列を得る。なお、ダイバーシチ合成はＤＳＴＢＣ復号を行う前でもよい。
【００５４】
続いて、ブロックタイミングの検出を行うタイミング検出部３７の構成および動作について、以下に詳細に説明する。
【００５５】
図６は、本実施の形態のタイミング検出部の構成例を示す図である。タイミング検出部３７は、タイミング検出部５の途中までの処理を２つ並列に持ち、２つの並列処理の結果を合成した後はタイミング検出部５と同様の処理でブロックタイミング検出まで行う構成となっている。
【００５６】
タイミング検出部５と同じ構成の部分については、２乗部９，１０から加算部１８，１９までの処理により、受信アンテナ１から入力されてフィルタリングされた受信信号について電力値を算出、２シンボル乗算してクロック波形を生成した後、ＤＦＴ処理を行ってＤＦＴ出力を得る。
【００５７】
タイミング検出部５と異なる部分については、２乗部４１，４２、加算器４３、１シンボル遅延部４４、乗算器４５、正弦波生成部４６、９０°回転部４７、乗算器４８，４９、加算部５０，５１は、それぞれ、２乗部９，１０、加算器１１、１シンボル遅延部１２、乗算器１３、正弦波生成部１４、９０°回転部１５、乗算器１６，１７、加算部１８，１９と同様の動作を行う。なお、タイミング検出部３７では、正弦波生成部４６、９０°回転部４７、乗算器４８，４９、および加算部５０，５１により、ＤＦＴ処理部７２を形成している。
【００５８】
２乗部４１，４２および加算器４３により、受信アンテナ３３から入力されてフィルタリングされた受信信号についてＩ相成分、Ｑ相成分をそれぞれ２乗した後に加算して電力値を得る。１シンボル遅延部４４、乗算器４５により、１シンボル遅延された信号と現在の信号とを乗算し、ブロックタイミングを得るためのクロック波形を生成する。正弦波生成部４６、９０°回転部４７により、２シンボル周期の正弦波、余弦波を生成する。乗算器４８，４９により、受信信号の電力値と正弦波、余弦波を乗算してＩ相成分、Ｑ相成分とする。加算部５０，５１では、乗算器４８，４９の乗算結果を２シンボル長の区間で加算して２シンボル毎に加算結果を出力し、ＤＦＴ出力を得る。
【００５９】
加算器５２は、加算部１８の出力である受信アンテナ１から得るＩ相成分のＤＦＴ出力と、加算部５０の出力である受信アンテナ３３から得るＩ相成分のＤＦＴ出力とを加算する。加算器５３は、加算部１９の出力である受信アンテナ１から得るＱ相成分のＤＦＴ出力と、加算部５１の出力である受信アンテナ３３から得るＱ相成分のＤＦＴ出力とを加算する。なお、加算器５２，５３は、入力の一方を選択する処理としても構わない。
【００６０】
平均化処理部２０，２１、および位相算出部２２では、加算器５２，５３の出力を平均化して、実施の形態１と同様の方法により、Ｉ相成分、Ｑ相成分から位相情報を抽出してブロックタイミングを検出する。また、シンボルタイミングについても、実施の形態１と同様に、２シンボル毎に出力されるブロックタイミングから補間して出力すればよい。
【００６１】
以上説明したように、本実施の形態では、受信装置において、タイミング検出部３７は、２つの受信アンテナから得た受信信号に対して、それぞれＤＳＴＢＣの符号化単位（１ブロック）を形成しているＮシンボル各々の電力値を算出するとともに、算出した電力値を乗算し、ＤＦＴを行った結果を合成して、合成結果を使用してブロックタイミングを検出する。具体的には、実施の形態１の回路について、ＤＦＴ処理部７０までを並列して受信アンテナ数分用意してそれぞれの出力を合成し、以降のブロックタイミングの推定については実施の形態１と同様にして処理を行う。これにより、複数本の受信アンテナを用いる受信装置において、受信ダイバーシチの効果を得て、ブロックタイミングとシンボルタイミングを同時に検出することができる。
【００６２】
実施の形態４．
本実施の形態では、複数の受信アンテナを用いてアンテナダイバーシチを実施する場合の受信装置について説明する。なお、受信装置の全体構成は実施の形態３と同様である（図５参照）。本実施の形態では、タイミング検出部３７に替えてタイミング検出部３７ａを用いる。タイミング検出部３７ａ以外の構成・動作は実施の形態３と共通であるため、共通部分については説明を省略し、以下ではタイミング検出部３７ａについて説明する。各実施の形態のタイミング検出部について比較すると、タイミング検出部３７（図６参照：実施の形態３）がタイミング検出部５（図２参照：実施の形態１）を基準にしているのに対して、タイミング検出部３７ａ（本実施の形態）はタイミング検出部５ａ（図４参照：実施の形態２）を基準にしている。
【００６３】
図７は、本実施の形態のタイミング検出部の構成例を示す図である。タイミング検出部３７ａでは、正弦波生成部５４、９０°回転部５５、乗算器５６，５７、および加算部５８，５９でＤＦＴ処理部７３を形成している。また、１シンボル遅延部１２および４４からブロックタイミング判定部３２までの構成でブロックタイミング検出部８２を形成している。また、正弦波生成部２３および５４から位相算出部３１までの構成でシンボルタイミング検出部８３を形成している。
【００６４】
また、タイミング検出部３７と異なる部分については、正弦波生成部５４、９０°回転部５５、乗算器５６，５７、加算部５８，５９は、それぞれ、正弦波生成部２３、９０°回転部２４、乗算器２５，２６、加算部２７，２８と同様の動作を行う。
【００６５】
タイミング検出部５ａおよびタイミング検出部３７と同じ構成の部分については説明を省略する。正弦波生成部５４が、１シンボル周期の正弦波を生成し、９０°回転部５５は、正弦波生成部５４で生成された１シンボル周期の正弦波の位相を９０°回転して１シンボル周期の余弦波を生成する。乗算器５６は、９０°回転部５５の出力となる余弦波を加算器４３から出力される受信信号の電力値と乗算してＩ相成分の電力値を得る。乗算器５７は、正弦波生成部５４の出力となる正弦波を加算器４３から出力される受信信号の電力値と乗算してＱ相成分の電力値を得る。加算部５８は、乗算器５６からＩ相成分の電力値を入力し、１シンボル毎に１シンボル長分の受信信号の電力値の総和を算出しＤＦＴの出力とする。加算部５９は、乗算器５７からＱ相成分の電力値を入力し、１シンボル毎に１シンボル長分の受信信号の電力値の総和を算出しＤＦＴの出力とする。
【００６６】
加算器６０は、加算部２７の出力である受信アンテナ１から得るＩ相成分のＤＦＴ出力と、加算部５８の出力である受信アンテナ３３から得るＩ相成分のＤＦＴ出力とを加算する。加算器６１は、加算部２８の出力である受信アンテナ１から得るＱ相成分のＤＦＴ出力と、加算部５９の出力である受信アンテナ３３から得るＱ相成分のＤＦＴ出力とを加算する。なお、加算器６０，６１は、入力の一方を選択する処理としても構わない。
【００６７】
平均化処理部２９，３０、および位相算出部３１では、加算器６０，６１の出力を平均化して、実施の形態２と同様の方法により、Ｉ相成分、Ｑ相成分から位相情報を抽出してシンボルタイミングを検出する。
【００６８】
ブロックタイミング判定部３２では、位相算出部２２から得られる２つの受信アンテナから検出したブロックタイミングと位相算出部３１から得られる２つの受信アンテナから検出したシンボルタイミングについて、ブロックタイミングをシンボルタイミングの位置に合わせて調整したブロックタイミングを出力する。
【００６９】
以上説明したように、本実施の形態では、受信装置において、タイミング検出部３７ａは、２つの受信アンテナから得た受信信号に対して、それぞれＤＳＴＢＣの符号化単位（１ブロック）を形成しているＮシンボル各々の電力値を算出するとともに、算出した電力値を乗算し、ＤＦＴを行った結果を合成して、合成結果を使用してシンボルタイミングおよびブロックタイミングを推定する。具体的には、実施の形態２の回路についてブロックタイミング検出部８０のＤＦＴ処理部７０までの回路を受信アンテナ数分用意し、それぞれの出力を合成する。また、シンボルタイミング検出部８１のＤＦＴ処理部７１までの回路を受信アンテナ数分用意し、それぞれの出力を合成する。以降のシンボルタイミングおよびブロックタイミングの推定については実施の形態２と同様にして処理を行う。これにより、複数本の受信アンテナを用いる受信装置において、受信ダイバーシチの効果を得て、ブロックタイミングとシンボルタイミングを同時に検出することができ、なおかつ、シンボルタイミングの検出精度を高くできる。
【産業上の利用可能性】
【００７０】
以上のように、本発明にかかる受信装置は、送信装置で複数の送信アンテナを用いる場合に有用であり、特に、ダイバーシチ効果を得る場合に適している。
【符号の説明】
【００７１】
１，３３  受信アンテナ、２，３４  Ａ／Ｄ変換部、３，３５  直交検波部、４，３６  整形フィルタ、５，３７  タイミング検出部、６，３８  タイミング抽出部、７，３９  ＤＳＴＢＣ復号部、８，４０  判定部、９，１０，４１，４２  ２乗部、１１，４３  加算器、１２，４４  １シンボル遅延部、１３，４５  乗算器、１４，２３，４６，５４  正弦波生成部、１５，２４，４７，５５  ９０°回転部、１６，１７，２５，２６，４８，４９，５６，５７  乗算器、１８，１９，２７，２８，５０，５１，５８，５９  加算部、２０，２１，２９，３０  平均化処理部、２２，３１  位相算出部、３２  ブロックタイミング判定部、５２，５３，６０，６１  加算器、７０，７１，７２，７３  ＤＦＴ処理部、８０，８２  ブロックタイミング検出部、８１，８３  シンボルタイミング検出部。
【図１】
2015041859.tif 000003
【図２】
2015041859.tif 000004
【図３】
2015041859.tif 000005
【図４】
2015041859.tif 000006
【図５】
2015041859.tif 000007
【図６】
2015041859.tif 000008
【図７】
2015041859.tif 000009